(57)【要約】 【課題】  湯水の異常湯温を管理する湯温管理機構を複数配備し、一つの湯温管理機構が故障した場合でも他の湯温管理機構が作動することによって、入浴者に異常湯温の湯水を付与させないよう安全性を向上させた入浴装置を提供すること。【解決手段】  浴槽１と貯湯槽２とを有し、浴槽１内へ車椅子３を挿入し、貯湯槽２から浴槽１内へ湯水を移送させ入浴者を入浴させる入浴装置において、貯湯用の配管内を流れる湯水の異常湯温を検知し貯湯槽２への貯湯作動を制御する第一の湯温管理機構４と、貯湯槽２内に貯湯された異常湯温の湯水を制御する第二の湯温管理機構５と、浴槽１内の湯水の異常湯温を検知し貯湯槽２から浴槽１への異常湯温の湯水の移送作動を制御する第三の湯温管理機構６の少なくとも二つ以上を配備することを特徴とする安全管理機構付入浴装置。【選択図】  図１
2005296058.tif 000002
【特許請求の範囲】
【請求項１】
浴槽１と貯湯槽２とを有し、浴槽１内へ車椅子３を挿入し、貯湯槽２から浴槽１内へ湯水を移送させ入浴者を入浴させる入浴装置において、貯湯用の配管内を流れる湯水の異常湯温を検知し貯湯槽２への貯湯作動を制御する第一の湯温管理機構４と、貯湯槽２内に貯湯された異常湯温の湯水を制御する第二の湯温管理機構５と、浴槽１内の湯水の異常湯温を検知し貯湯槽２から浴槽１への異常湯温の湯水の移送作動を制御する第三の湯温管理機構６の少なくとも二つ以上を配備することを特徴とする安全管理機構付入浴装置。
【請求項２】
第一の湯温管理機構４は、貯湯用の配管内を流れる湯水の湯温が異常であることを検知すると、前記湯水を入浴装置１１外へ排出することを特徴とする請求項１記載の安全管理機構付入浴装置。
【請求項３】
貯湯用の配管に主温度センサ９と副温度センサ１０を装備したことを特徴とする請求項１記載の安全管理機構付入浴装置。
【請求項４】
第二の湯温管理機構５は、貯湯槽２内に貯湯された湯水の湯温が異常であることを検知すると、前記湯水を入浴装置１１外へ排出することを特徴とする請求項１記載の安全管理機構付入浴装置。
【請求項５】
第三の湯温安全管理機構６は、浴槽１内に移送された湯水の湯温が異常であることを検知すると、貯湯槽２から浴槽１への湯水の移送を停止するか、又は湯水の移送停止後、入浴装置１１外へ湯水を排出することを特徴とする請求項１記載の安全管理機構付入浴装置。
【発明の詳細な説明】
【技術分野】
【０００１】
本発明は、浴槽と貯湯槽とを有し、浴槽内へ車椅子を挿入し、貯湯槽から浴槽内へ湯水を移送させ入浴者を入浴させる入浴装置の湯温管理機構に関するものである。
【背景技術】
【０００２】
従来技術のタンク付き浴槽の湯管理装置は、タンク内の湯温を検出する温度センサを設け、該温度センサによって検出したタンク内の湯温が設定温度から外れたときに、タンクから浴槽本体への給湯を停止する制御部を備えるものである。
【０００３】
前記従来技術によれば、介助者によるタンク内の湯温の確認作業を行うことなく、タンクから浴槽本体に適温の湯を移送することができるが、タンク内に設けられた温度センサの故障時には設定温度から外れた湯水を誤って浴槽本体に移送させてしまうといった問題点があった。
【特許文献１】特許第３１８１８３７号
【発明の開示】
【発明が解決しようとする課題】
【０００４】
本発明の目的は、上記の問題点に鑑みてなされたもので、湯水の異常湯温を管理する湯温管理機構を複数個配備し、一つの湯温管理機構が故障し正常作動しない場合でも他の湯温管理機構を作動させることによって、入浴者に異常湯温の湯水を付与させないよう安全性を向上させた入浴装置を提供することである。
【課題を解決するための手段】
【０００５】
上記の目的を実現する為、本発明では、浴槽１と貯湯槽２とを有し、浴槽１内へ車椅子３を挿入し、貯湯槽２から浴槽１内へ湯水を移送させ入浴者を入浴させる入浴装置において、貯湯用の配管内を流れる湯水の異常湯温を検知し貯湯槽２への貯湯作動を制御する第一の湯温管理機構４と、貯湯槽２内に貯湯された異常湯温の湯水を制御する第二の湯温管理機構５と、浴槽１内の湯水の異常湯温を検知し貯湯槽２から浴槽１への異常湯温の湯水の移送作動を制御する第三の湯温管理機構６の少なくとも二つ以上を配備した。
【０００６】
第一の湯温管理機構４は、貯湯用の配管内を流れる湯水の湯温が異常であることを検知すると、前記湯水を入浴装置１１外へ排出する。貯湯用の配管に主温度センサ９と副温度センサ１０を装備した。
【０００７】
第二の湯温管理機構５は、貯湯槽２内に貯湯された湯水の湯温が異常であることを検知すると、前記湯水を入浴装置外１１へ排出する。
【０００８】
第三の湯温安全管理機構６は、浴槽１内に移送された湯水の湯温が異常であることを検知すると、貯湯槽２から浴槽１への湯水の移送を停止するか、又は湯水の移送停止後、入浴装置１１外へ湯水を排出する。
【発明の効果】
【０００９】
本発明は、貯湯用の配管内を流れる湯水の異常湯温を検知し貯湯槽２への貯湯作動を制御する第一の湯温管理機構４と、貯湯槽２内に貯湯された異常湯温の湯水を制御する第二の湯温管理機構５と、浴槽１内の湯水の異常湯温を検知し貯湯槽２から浴槽１への異常湯温の湯水の移送作動を制御する第三の湯温管理機構６の少なくとも二つ以上を配備するものである。従って、湯温管理機構を二個配備した場合には、一方の湯温管理機構が故障し正常作動しない場合でも、他方の湯温管理機構が適宜作動し浴槽１への異常湯温の湯水の移送作動を停止するので、例えば、入浴者に設定温度値から大きく外れた高温の湯水を付与し火傷を負わせてしまうといった危険な事態に至ることはなく、又、低温の湯水を付与し入浴者を驚愕させてしまうといった不都合な事態も防止できる。
【００１０】
又、湯温管理機構を三個配備した場合には、二個の湯温管理機構が同時に故障し正常作動しない場合でも、残り一個の湯温管理機構が適宜作動し浴槽１への異常湯温の湯水の移送作動を確実に停止でき、安全性をより向上できる。
【００１１】
本発明では、第一の湯温管理機構４が、貯湯用の配管内を流れる湯水の湯温が異常であることを検知すると、前記湯水を入浴装置１１外へ排出するものとしたから、第一の湯温管理機構４が正常作動している場合には貯湯槽２に異常湯温の湯水が貯湯されることはない。
【００１２】
本発明は、貯湯用の配管に主温度センサ９と副温度センサ１０を装備したものであるから、二個の主・副温度センサ９・１０でもって貯湯用配管内の湯温の検知が確実に行える。即ち、「断線」又は「短絡」により一方の温度センサ、例えば主温度センサ９が故障した場合は、制御部３１にて故障状態の主温度センサ９が特定でき、正常作動している他方の温度センサ、副温度センサ１０を使用し、貯湯用配管内の湯温を確実に検知できるので、故障した主温度センサ９で湯温を検知し続け異常湯温の湯水を貯湯槽２内に供給してしまうといった不都合な事態を回避できる。
【００１３】
又、制御部３１にて主温度センサ９と副温度センサ１０による湯水の検知温度値が比較されており、両温度センサ９・１０が共に正常作動している場合には前記検知温度の差値は略ゼロとなるが、「接触不良（断線仕掛り）」或いは「レアショート（短絡仕掛り）」によりいずれか一方の温度センサが故障した場合には、主温度センサ９と副温度センサ１０の検知温度の差値は略ゼロからプラス又はマイナス方向に変化する。この故障状態時においては、制御部３１はどちらの温度センサが正常状態で、どちらの温度センサが異常状態であるかの識別判断は不能であるが、制御部３１は前記変化を迅速に検知し、主温度センサ９と副温度センサ１０が共に故障状態にあると識別判断し、貯湯作動を停止するので、主・副温度センサ９・１０の正常・異常状態が判断できないまま貯湯槽２へ湯水を貯湯することはなく、従って、誤って異常湯温の湯水を貯湯槽２内に貯湯してしまうといった不都合な事態を回避できる。
【００１４】
本発明は、第二の湯温管理機構５が、貯湯槽２内に貯湯された湯水の湯温が異常であることを検知すると、前記湯水を入浴装置１１外へ排出するものとしたから、第二の湯温管理機構５が正常作動している場合には、貯湯槽２内に貯湯される湯は適温湯のみであり、介助者は貯湯槽２内の湯温の確認作業を行うことなく、貯湯槽２内に湯水が所定量貯湯されていることを確認するだけで、貯湯槽２から浴槽１へ湯水の移送を行うことができ、介助者の湯温確認作業に係る負担を軽減できると共に異常湯温の湯水を浴槽１へ移送することはなく入浴者を安全に入浴させることができる。又、貯湯槽２内に高温の熱湯が貯湯されたままの状態で放置され、介助者が誤って貯湯槽２内の熱湯に触れ火傷等をするといった危険な事態も回避できる。
【００１５】
従来技術のように浴槽本体１とタンク２とをつなぐ配管系３に加熱手段が配置されるものの場合には、タンク２内の湯水の湯温は適切であっても前記加熱手段により加熱された後の湯水の湯温が不適切（高温）となり、入浴者に不快感を付与してしまうといった可能性があるが、本発明では、第三の湯温安全管理機構６が、浴槽１内に移送された湯水の湯温を検知し、該湯温が異常な場合には貯湯槽２から浴槽１への湯水の移送を停止するので、より正確に浴槽１内の湯水の湯温が検知でき、設定温度値から外れた高温の湯水を浴槽１に移送した結果、入浴者に不快感を与えてしまうといった前記従来技術に見られる不都合な事態は生じない。
【発明を実施するための最良の形態】
【００１６】
入浴者に異常湯温の湯水を付与させないよう安全性を向上させた入浴装置を提供するという目的を、貯湯用の配管内を流れる湯水の異常湯温を検知し貯湯槽２への貯湯作動を制御する第一の湯温管理機構４と、貯湯槽２内に貯湯された異常湯温の湯水を制御する第二の湯温管理機構５と、浴槽１内の湯水の異常湯温を検知し貯湯槽２から浴槽１への異常湯温の湯水の移送作動を制御する第三の湯温管理機構６の少なくとも二つ以上を配備することにより実現した。
【実施例１】
【００１７】
以下、本発明の実施例１を図１乃至４を参照して説明する。
図１は、入浴装置１１の配管系統図であり、図２は浴槽１内に車椅子３を挿入する前の状態の入浴装置１１を示す外観斜視図であり、図３は浴槽１内に車椅子３を挿入した後の状態の入浴装置１１を示す外観斜視図である。図２に示すように、入浴装置１１は一側方に開口部３５が形成された浴槽１と、入浴者を載せる車椅子３とから構成される。
【００１８】
前記浴槽１には、開口部３５と反対側方向に貯湯槽２が一体的に形成される。詳細な説明及び図示は省略するが、開口部３５は、浴槽１の左右側壁１ａ・１ｂの内側面に開口部３５側から浴槽１の奥側方向に向かって傾斜状に形成された左・右内側壁と底壁とで構成される接合面を有し、該接合面には車椅子３の背凭れ部２５に形成される平坦面が当接可能となっている。浴槽１と背凭れ部２５とは、浴槽１と車椅子３とに亘って設けられる図示しない固定手段によって固定され、開口部３５が背凭れ部２５により閉塞状態とされる。
浴槽１と貯湯槽２はポンプ１２を介して給湯配管１３で連通接続されており、ポンプ１２で、貯湯槽２に貯湯された湯水を浴槽１へ移送させる。
【００１９】
湯水供給源１４ａ・１４ｂから供給される湯水を貯湯槽２へ導く配管として、配管７と配管８の二系統の配管が配設される。配管７は、貯湯用の配管７ａの途中で排湯用の配管７ｂが分岐延設される。配管８は、該配管８の途中で配管１５が分岐延設され、更に、該配管１５は先端部にてハンドシャワー１６が接続される配管１５ａと、排湯用の配管１５ｂとに分岐延設される。尚、図示を省略するが、一箇所に設けられた湯水供給源から配管７と配管８の二系統の配管を分岐延設するよう構成しても良い。
【００２０】
配管７ａに、該配管７ａの上流側から順に電動温調バルブ１７ａ、主・副温度センサ９ａ・１０ａ、給湯用の電磁弁１８ａが、配管７ｂには排湯用の電磁弁１８ｂがそれぞれ装着される。同様に配管８に、該配管８の上流側から順に電動温調バルブ１７ｂ、主・副温度センサ９ｂ・１０ｂ、給湯用の電磁弁１９が装着される。配管１５ａにはハンドシャワー用の電磁弁２０ａが、配管１５ｂには排湯用の電磁弁２０ｂがそれぞれ装着される。
【００２１】
貯湯槽２の吸入口２１と浴槽１の給湯口２２とはポンプ１２を介して給湯配管１３にて連通接続される。吸入口２１とポンプ１２の吸込口側を接続する給湯配管１３ａにモーターバルブ２３ａが、ポンプ１２の吐出口側と給湯口２２を接続する給湯配管１３ｂにモーターバルブ２３ｂが配設される。
【００２２】
モーターバルブ２３ａの下流側の給湯配管１３ａから給排湯配管２６が分岐して設けられ、給排湯配管２６は中途位置において分岐し浴槽１の給排湯口２７に接続される。給排湯配管２６にはモーターバルブ２３ｃ及び排湯用のモーターバルブ２３ｄが配設される。モーターバルブ２３ｂの上流側の給湯配管１３ｂに排湯配管２８が分岐して設けられ、該排湯配管２８に排湯用のモーターバルブ２３ｅが設けられる。
【００２３】
浴槽１の側壁下方位置に浴槽１内の湯水の湯温を検知する温度センサ２９が、浴槽１内部には６基の水位センサ３２ａ・３２ｂ・３２ｃ・３２ｄ・３２ｅ・３２ｆ（具体的には、静電容量型近接センサ）が配設される。前記６基の水位センサ３２群は、床面３６を基準面として水位センサ３２ａ＜３２ｂ＜３２ｃ＜３２ｄ＜３２ｅ＜３２ｆの高さ位置の順序で固着されている。水位センサ３２ａは浴槽１内の下限水位を、水位センサ３２ｂはポンプ１２の作動を許容する浴槽１内の水位を、水位センサ３２ｆは浴槽１内の上限水位を検出するためのものである。水位センサ３２ｃ・３２ｄ・３２ｅはそれぞれ浴槽１内の水位を「低」・「中」・「高」レベルとして検出するものである。尚、温度センサ２９の固着位置は、水位センサ３２ｂよりも低位置に設定されている。
貯湯槽２の側壁下方位置に貯湯槽２内に貯湯された湯水の湯温を検知する温度センサ３０が固着され、側壁の下方・上方位置にはそれぞれ二基の水位センサ（静電容量型近接センサ）３３ａ・３３ｂが配備される。温度センサ３０の固着位置は、水位センサ３３ａよりも低位置に設定されている。
【００２４】
図４に入浴装置１１に係る電気的構成のブロック図を示す。入浴装置１１に具備される制御部３１は、前記主・副温度センサ９・１０からの信号を適宜得て前記電磁弁１８群・１９・２０群の開閉を制御し、貯湯槽２への貯湯作動を制御する。又、温度センサ３０からの信号を得て前記モーターバルブ２３群の開閉を適宜制御し、貯湯槽２内の湯水の排水作動を制御する。更に、温度センサ２９からの信号を得て前記モーターバルブ２３群の開閉を適宜制御し、貯湯槽２から浴槽１への湯水の移送作動を制御する。
【００２５】
入浴装置１１には、後述する貯湯用の配管７・８内を流れる湯水の異常湯温を検知し貯湯槽２への貯湯作動を制御する第一の湯温管理機構４と、貯湯槽２内に貯湯された異常湯温の湯水を排出制御する第二の湯温管理機構５と、浴槽１内の湯水の異常湯温を検知し貯湯槽２から浴槽１への異常湯温の湯水の移送作動を制御する第三の湯温管理機構６の計三個の湯温管理機構が配備される。
【００２６】
第一の湯温管理機構４は、主・副温度センサ９・１０と、電磁弁１８・１９・２０（２０ｂ）と、制御部３１とから構成され、第二の湯温管理機構５は、温度センサ３０と、モーターバルブ２３群（２３ａ・２３ｃ・２３ｄ）と、制御部３１とから構成される。第三の湯温管理機構６は、温度センサ２９と、モーターバルブ２３（２３ｄ）と、制御部３１とから構成される。
【００２７】
以下、第一の湯温管理機構４の作用について述べる。入浴装置１１の電源をＯＮにすると、モーターバルブ２３ｂ・２３ｃ・２３ｄ・２３ｅを除く入浴装置１１に係る全てのモーターバルブ群及び電磁弁群が閉弁される初期状態に設定される。前述したように貯湯槽２へ湯水を導く配管には、配管７と配管８の二系統の配管が配設されており、貯湯槽２への湯水の貯湯時にハンドシャワー１６が使用されている場合には、配管７のみを用いて貯湯（基本貯湯）を行い、ハンドシャワー１６の未使用時には配管７及び配管８を同時併用して貯湯槽２へ貯湯（急速貯湯）を行う。
【００２８】
配管７のみを用いての基本貯湯では、入浴装置１１の操作パネル２４に配備される図示しない自動貯湯スイッチが押下され貯湯が開始すると、貯湯用の電磁弁１８ａが閉弁され排湯用の電磁弁１８ｂが開弁された状態で、電動温調バルブ１７ａのサーモバルブが貯湯槽２に貯湯すべき湯の設定温度値に移動され、湯水供給源１４ａから供給される湯水は配管７ａを流れ配管７ｂを経由して入浴装置１１外へ排出される。
【００２９】
上記排出作動中に主温度センサ９ａが、所定時間（＝具体的には５秒以上）連続して配管７ａ内を流れる湯温が設定温度値を基準として±２℃以内の範囲内に収束したことを検知すると、電磁弁１８ｂが閉弁され電磁弁１８ａが開弁され、貯湯槽２への基本貯湯が開始される。
【００３０】
前記基本貯湯中に主温度センサ９ａが配管７ａ内を流れる湯温が、設定温度値の±２℃以内の範囲内に収束していないこと（異常湯温であること）を検知した場合には、電磁弁１８ａが閉弁され電磁弁１８ｂが開弁され入浴装置１１外への湯水の排出が行われる。従って、第一の湯温管理機構４が正常作動している状態においては、貯湯槽２には異常湯温の湯水は貯湯されず、設定温度値範囲内にある適正湯温のみが貯湯されることになる。所定時間（＝具体的には５分間）湯水の排出を継続しても配管７ａ内の湯温が設定温度値の±２℃以内の範囲内に収束しない場合は、電磁弁１８ｂが閉弁され、基本貯湯が停止される。
【００３１】
配管７ａの同位置に、主温度センサ９ａと副温度センサ１０ａが介装されており、主・副温度センサ９ａ・１０ａは常時配管７ａ内を流れる湯水の湯温を検知している。主・副温度センサ９ａ・１０ａの各検知温度値は、制御部３１にて貯湯すべき湯の設定温度値との比較がなされており、一方の温度センサ、例えば、主温度センサ９ａが「断線」又は「短絡」により故障し、設定温度値±２℃の範囲から大きく外れた異常温度値を示した際には、温度センサ９ａが故障状態にある旨の情報がセンサ故障表示器３４に即座に表示され、介助者は温度センサ９ａが故障状態にあることが容易に識別可能とされている。前記センサ故障表示器３４は、操作パネル２４に配備される。
【００３２】
本発明では、一方の主温度センサ９ａが故障状態であっても、他方の正常作動している副温度センサ１０ａにて配管７ａ内を流れる湯温の検知が可能とされており、故に、主温度センサ９ａの故障時にも副温度センサ１０ａによって確実に湯温の検知がなされ、副温度センサ１０ａにより湯温が設定温度値±２℃の範囲内に属する旨が検知されている場合には、貯湯作動が継続される。従って、一方の主温度センサ９ａの故障状態に至った時にも貯湯作動が停止されることはないので、介助者は入浴作業が中断されず好都合である。尚、制御部３１がどちらか一方の温度センサが故障状態になった旨を検知した際には、電磁弁１８ａを閉弁し貯湯作動を停止するように制御を行ってもよい。
【００３３】
更に、制御部３１にて主温度センサ９ａと副温度センサ１０ａによる検知温度値の比較がなされている。従って、一方の温度センサ、例えば、副温度センサ１０ａが「接触不良（断線仕掛り）」又は「レアショート（短絡仕掛り）」に起因して故障した際には、両温度センサ９ａ・１０ａの検知温度の差値が略ゼロからプラス又はマイナス方向に変化し、該変化を制御部３１が迅速検知する。
【００３４】
この故障時には、制御部３１はどちらの温度センサが正常状態で、どちらの温度センサが異常状態であるかの状態識別判断は不可能であるので、制御部３１は両温度センサ９ａ・１０ａが共に故障状態であると識別し、電磁弁１８ａを閉弁し貯湯作動を停止する。そして、センサ故障表示器３４に両温度センサ９ａ・１０ａが共に故障状態である旨の情報を表示する。
【００３５】
ハンドシャワー１６の未使用時には配管７及び配管８が同時併用され貯湯槽２への急速貯湯が行われる。配管７を用いた貯湯時の第一の湯温管理機構４の作用は上述した通りであるので、以下、配管８を用いた貯湯時の第一の湯温管理機構４の作用について述べる。即ち、前記自動貯湯スイッチが押下され貯湯が開始されると、貯湯用の電磁弁１９及びハンドシャワー用の電磁弁２０ａが閉弁され、排湯用の電磁弁２０ｂが開弁された状態で、電動温調バルブ１７ｂのサーモバルブが貯湯槽２に貯湯すべき湯の設定温度値に移動され、湯水供給源１４ｂから供給される湯水は配管８を流れ配管１５ｂを経由して入浴装置１１外へ排出される。
【００３６】
上記排出作動中に主温度センサ９ｂが、所定時間（＝具体的には５秒以上）連続して配管８内を流れる湯温が設定温度値を基準として±２℃以内の範囲内に収束したことを検知すると、電磁弁２０ｂが閉弁され電磁弁１９が開弁され、貯湯槽２への貯湯が開始される。
【００３７】
急速貯湯中に温度センサ９ｂが配管８内を流れる湯温が設定温度値の±２℃以内の範囲内に収束していないことを検知した場合には、電磁弁１９が閉弁され電磁弁２０ｂが開弁され入浴装置１１外へ湯水の排出が行われる。従って、配管８からも貯湯槽２内には異常湯温の湯水が貯湯されず、設定温度値範囲内にある適正湯温のみが貯湯されることになる。
【００３８】
所定時間（＝具体的には５分間）湯水の排出を継続しても配管８内の湯温が設定温度値の±２℃以内の範囲内に収束しない場合は、電磁弁２０ｂが閉弁され、貯湯が停止される。
【００３９】
配管７ａと同様に、配管８の同位置にも、主温度センサ９ｂと副温度センサ１０ｂが介装されており、例えば、一方の副温度センサ１０ｂが「断線」又は「短絡」に起因する故障状態であっても、正常作動している他方の主温度センサ９ｂにて配管８内を流れる湯温の検知が可能とされている。
【００４０】
又、配管７ａと同様に、一方の温度センサ、例えば、副温度センサ１０ｂの「接触不良」又は「レアショート」に起因する故障状態時には、主・副温度センサ９ｂ・１０ｂのうちどちらが正常状態で、どちらの温度センサが異常状態であるかの状態識別判断が制御部３１では不可能なので、制御部３１は両温度センサ９ｂ・１０ｂが共に故障状態であると識別し、電磁弁１９を閉弁し配管８を用いての貯湯作動を停止する。そして、センサ故障表示器３４に両温度センサ９ｂ・１０ｂが共に故障状態である旨の情報を表示する。
【００４１】
配管７と配管８を併用した急速貯湯時において、一方配管に介装される温度センサに「接触不良」又は「レアショート」に起因する故障が発生し、制御部３１が一方配管からの貯湯作動を停止した場合であっても、他方配管を用いての貯湯作動は継続されるので、介助者は貯湯槽２への貯湯作動が完全には中断されず、好都合である。
【００４２】
基本貯湯時において、主・副温度センサ９ａ・１０ａが異常湯温の検知をしなかった場合は、貯湯開始から所定時間の経過後、貯湯槽２内に貯湯された湯水位が水位センサ３３ｂの高さ位置にまで上昇すると、水位センサ３３ｂが作動し、該水位センサ３３ｂの作動信号を受信した制御部３１により電磁弁１８ａが閉弁され、基本貯湯が自動停止され、貯湯槽２への貯湯が完了する。
又、急速貯湯時において、主温度センサ９ａ・９ｂと副温度センサ１０ａ・１０ｂのいずれもが異常湯温の検知をしなかった場合は、貯湯槽２内の湯水位が水位センサ３３ｂの高さ位置にまで上昇すると、制御部３１により電磁弁１８ａ及び電磁弁１９が閉弁され、急速貯湯が自動停止される。
【００４３】
前述したように、第一の湯温管理機構４が正常作動している状況下においては、貯湯槽２内に異常湯温の湯水が貯湯されることはない。
ところが、例えば、主温度センサ９ａ、又は副温度センサ１０ａが配管７ａ内を流れる湯温が異常湯温であることを検知し、制御部３１にて電磁弁１８ａを閉弁し貯湯作動を停止する際に、電磁弁１８ａが完全量閉弁しない半故障状態になっている状況下では、異常湯温の湯水が貯湯槽２内へ貯湯されてしまう事態が発生する。
【００４４】
又、急速貯湯時において、主温度センサ９ｂ、又は副温度センサ１０ｂが配管８内を流れる湯温が異常湯温であることを検知し、制御部３１にて電磁弁１９を閉弁し貯湯作動を停止する際に、電磁弁１９が完全量閉弁しない半故障状態になっている状況下でも、異常湯温の湯水が貯湯槽２内へ貯湯されてしまう事態が発生する。
【００４５】
或いは、主温度センサ９ａと副温度センサ１０ａとが同時に、「接触不良」又は「レアショート」に起因する故障状態に至った際には、両温度センサ９ａ・１０ａの検知温度の差値は略ゼロのままとなり、従って、制御部３１は両温度センサ９ａ・１０ａが故障状態である旨の識別・表示が不可能となり、この時に配管７内を流れる湯水が異常湯温に至っていると、異常湯温の湯水がそのまま貯湯槽２内へ貯湯されてしまう事態が発生する。主温度センサ９ｂと副温度センサ１０ｂとが同時に、「接触不良」又は「レアショート」に起因する故障状態に至った際にも上記と同様の事態が発生する。
【００４６】
しかしながら、上記種々の故障原因により貯湯槽２内に異常湯温の湯水が貯湯されてしまう事態が発生した場合であっても、第二の湯温管理機構５が作用し、貯湯槽２内に貯湯された異常湯温の湯水は入浴装置１１外へ早急に排出され、貯湯槽２内に滞留することはない。以下、第二の湯温管理機構５の作用について説明する。
【００４７】
貯湯槽２内に異常湯温の湯水が貯湯され、湯水の水位が温度センサ３０の位置にまで達すると温度センサ３０による検知温度値に係る信号が制御部３１に送信され、制御部３１にて前記検知温度値と設定温度値との比較がなされ、制御部３１が検知温度値が設定温度値±２℃の範囲から外れていることを認識する。  
【００４８】
この時、制御部３１は、閉弁状態にあるモーターバルブ２３ａを開弁させ（モーターバルブ２３ｃ・２３ｄは、入浴装置１１の電源ＯＮ時に開弁状態となっている）、異常湯温の湯水を給湯配管１３ａから給排湯配管２６を経由させ、入浴装置１１外へ自然排出させる。
【００４９】
次に、第三の湯温管理機構６の作用について述べる。第三の湯温管理機構６は、第一の湯温管理機構４が正常作動せず、貯湯槽２に異常湯温の湯水が貯湯され、且つ第二の湯温管理機構５の温度センサ３０が故障状態にあり貯湯槽２内に貯湯された異常湯温の湯水の温度値を正確に検知できない場合に作用する。尚、浴槽１内に入浴者の着座した車椅子３を挿入し浴槽１と車椅子３の背凭れ部２５とを前記固定手段により固定し、浴槽１の開口部３５を背凭れ部２５で閉塞した時には、モーターバルブ２３ａ・２３ｄ・２３ｅが閉弁され、モーターバルブ２３ｂ・２３ｃが開弁された状態となる。
【００５０】
この時、介助者が操作パネル２４に設けられる図示しない浴槽給湯スイッチを押下し初期給湯を開始すると、モーターバルブ２３ａが開弁され、異常湯温の湯水が給湯配管１３及び給排湯配管２６を経由して浴槽１内へ移送される。
【００５１】
しかし、異常湯温の湯水の水位が浴槽１の側壁下方位置に固着された温度センサ２９の位置にまで到達すると、温度センサ２９が異常湯温の湯水の温度値を検知し、該検知信号が制御部３１に送信され、制御部３１がモーターバルブ２４ａを閉弁し、貯湯槽２から浴槽１への異常湯温の湯水の移送を停止する。温度センサ２９の固着位置は、異常湯温の湯水が浴槽１内に移送された場合でも入浴者の体に到達しない位置に設定されているので、万一、異常湯温の湯水が浴槽１へ移送された場合であっても、入浴者が移送された異常湯温の湯水により火傷等の損傷を負うことはない。
【００５２】
制御部３１は、浴槽１への異常湯温の湯水の移送停止と同時に、モーターバルブ２３ｄ・２３ｅを開弁する。この結果、浴槽１内に移送された異常湯温の湯水は、給湯口２２及び給排湯口２７から入浴装置１１外へ排出される。  
【００５３】
尚、貯湯槽２内に設定温度値範囲内の適正湯温の湯水が所定量貯湯された場合に、介助者により前記浴槽給湯スイッチが押下され初期給湯が開始されると、モーターバルブ２３ａが開弁され、貯湯槽２内の湯水が給湯配管１３及び給排湯配管２６を経由して浴槽１内へ移送される。ポンプ１２は、水位センサ３２ｂが浴槽１内に移送給湯された湯の水位を検知するまで作動しない。水位センサ３２ｂが湯水位を検出すると同時に、モーターバルブ２３ｃが閉弁され、ポンプ１２の作動が開始され、ポンプ１２の作動により給湯配管１３を経由して給湯口２２から浴槽１内へ湯水の移送がなされる。設定水位（水位センサ３２ｃ・３２ｄ・３２ｅのいずれかの高さ位置）にまで浴槽１内の湯水が達すると制御部３１によりモーターバルブ２３ａが閉弁され、モーターバルブ２３ｃが開弁され、ポンプ１２の作動が停止され、浴槽１への初期給湯が完了する。
【００５４】
本実施例では、入浴装置１１に、第一の湯温管理機構４と、第二の湯温管理機構５と、第三の湯温管理機構６の計三個の湯温管理機構を配備し、三重に異常湯温の管理制御を行う例を説明したが、前記三個の湯温管理機構のうち、第一の湯温管理機構４と第二の湯温管理機構５、又は、第一の湯温管理機構４と第三の湯温管理機構６、或いは、第二の湯温管理機構５と第三の湯温管理機構６の計二個の湯温管理機構の組み合わせとし、二重に異常湯温の管理制御を図るようにしても十分に安全性向上の効果が期待できるものである。
【００５５】
又、本実施例では、一側方に開口部３５が形成された浴槽１内に車椅子３を挿入し、開口部３５を背凭れ部２５で閉塞する入浴装置１１の例を説明したが、本発明は本実施例に限定されるものでなく、例えば、図示しない扉付きの浴槽内に入浴者の着座した車椅子を挿入し入浴を行うタイプの入浴装置にも適用し得るものである。
【産業上の利用可能性】
【００５６】
本発明は、浴槽内へ車椅子を挿入し、貯湯槽から浴槽内へ湯水を移送させ入浴者を入浴に供する入浴装置に適用できる。
【図面の簡単な説明】
【００５７】
【図１】実施例１の入浴装置に係る配管系統図である。
【図２】浴槽内に車椅子を挿入する前の状態の入浴装置を示す外観斜視図である。
【図３】浴槽内に車椅子を挿入した後の状態の入浴装置を示す外観斜視図である。
【図４】入浴装置の電気的構成を示すブロック図である。
【符号の説明】
【００５８】
１  浴槽
２  貯湯槽
３  車椅子
４  第一の湯温管理機構
５  第二の湯温管理機構
６  第三の湯温管理機構
９  主温度センサ
１０  副温度センサ
１１  入浴装置
【図１】
2005296058.tif 000003
【図２】
2005296058.tif 000004
【図３】
2005296058.tif 000005
【図４】
2005296058.tif 000006